(57)【要約】【課題】曲率の小さな歯面を有する歯に対しても毛先を容易にフィットさせることができると共に、歯間部に毛先を十分に入り込ませて刷掃効果を十分に発揮させることのできる歯ブラシを提供する。【解決手段】複数のブリッスル１１からなる毛束１２ａ，１２ｂが植毛台１４に複数植毛された歯ブラシ１０において、植毛台１４の両側部に沿って歯ブラシ１０の長手方向Ｘに設けられている複数の外側毛束１２ａは、当該長手方向Ｘに２ｍｍ以上の長さを有する植毛穴１３に植毛されて当該長手方向Ｘに２ｍｍ以上の巾を有しており、かつこれらの外側毛束１２ａの先端は、根元部側に凹となった円弧状の先端湾曲面１６を介して長手方向Ｘの片側に傾斜している。【選択図】図１
2010158591.tif 000002
【特許請求の範囲】
【請求項１】
複数のブリッスルからなる毛束が植毛台に複数植毛された歯ブラシにおいて、
前記毛束の少なくとも一部が、歯ブラシの長手方向に２ｍｍ以上の長さを有する植毛穴に植毛されて当該長手方向に２ｍｍ以上の巾を有しており、かつ該毛束の先端は、根元部側に凹となった円弧状の先端湾曲面を介して当該長手方向の片側に傾斜している歯ブラシ。
【請求項２】
前記円弧状の先端湾曲面を備える毛束が、前記植毛台の両側部に沿って前記長手方向に複数設けられている請求項１記載の歯ブラシ。
【請求項３】
前記先端湾曲面は、前記長手方向に隣り合う各一対の毛束において相反する向きに傾斜している請求項１又は２に記載の歯ブラシ。
【請求項４】
前記長手方向に隣り合う各一対の毛束は、前記長手方向と垂直な方向にずれて互い違いに設けられている請求項３記載の歯ブラシ。
【請求項５】
前記円弧状の先端湾曲面を備える毛束は、先端部分が前記先端湾曲面の頂点部分からさらに先端側に突出するブリッスルを有している請求項１〜４のいずれかに記載の歯ブラシ。
【請求項６】
前記円弧状の先端湾曲面を備える毛束を構成するブリッスルは、その先端がラウンド状となっている請求項１〜５のいずれかに記載の歯ブラシ。
【請求項７】
請求項１〜６のいずれかに記載の歯ブラシの植毛台に、前記円弧状の先端湾曲面を備える毛束を融着植毛により植毛する植毛方法であって、
前記植毛台に形成された植毛穴に前記毛束を前記植毛台の裏側から挿入して挿入案内板により支持固定する際に、前記先端湾曲面に沿った湾曲形状を備える金型に各ブリッスルの先端を当接させ、しかる後に前記植毛台の裏側に飛び出した部分のブリッスルを融着して植毛する毛束の植毛方法。
【発明の詳細な説明】
【技術分野】
【０００１】
本発明は、複数のブリッスルからなる毛束が植毛台に複数植毛された歯ブラシ及び毛束の植毛方法に関する。
【背景技術】
【０００２】
歯ブラシは、複数のブリッスルからなる毛束を、平線植毛や融着植毛等によって植毛台に形成された植毛穴に複数植毛固定することにより形成される。また、歯ブラシには、比較的平滑な歯面に対する良好な清掃性と共に、歯間部等の入り組んだ部位に対する良好な清掃性も求められていることから、これらの部位を効果的に刷掃することが可能な歯ブラシとして、先端を斜めにカットした毛束を歯ブラシの長手方向に連設して配置することにより、毛束の先端を連ねた面が鋸刃状の山形となった、いわゆる山切りカットされた歯ブラシが知られている。
【発明の概要】
【発明が解決しようとする課題】
【０００３】
しかしながら、山切りカットされた従来の歯ブラシによれば、加工のしやすさ等から、各毛束の先端は直線状に斜めにカットされているため、湾曲する面となっている歯面と各毛束の先端面とは点接触に近い接触状態となり、特に歯間部で山形形状による刷掃効果が十分に発揮されないばかりか、犬歯や臼歯等の、曲率の小さな曲面からなる歯面を有する歯に対しては、毛先が歯面にきちんと当たらないためフィットし難く、また歯間部に毛先が入り込み難いことから、磨き残しが多くなると共に、う蝕の発生を効果的に防ぐことができなかった。
【０００４】
本発明は、曲率の小さな歯面を有する歯に対しても毛先を容易にフィットさせることができると共に、歯間部に毛先を十分に入り込ませて刷掃効果を十分に発揮させることのできる歯ブラシ及び毛束の植毛方法を提供することを目的とする。
【課題を解決するための手段】
【０００５】
本発明は、複数のブリッスルからなる毛束が植毛台に複数植毛された歯ブラシにおいて、前記毛束の少なくとも一部が、歯ブラシの長手方向に２ｍｍ以上の長さを有する植毛穴に植毛されて当該長手方向に２ｍｍ以上の巾を有しており、かつ該毛束の先端は、根元部側に凹となった円弧状の先端湾曲面を介して当該長手方向の片側に傾斜している歯ブラシを提供することにより、上記目的を達成したものである。
【０００６】
本発明の歯ブラシによれば、長手方向に２ｍｍ以上の巾を有する毛束の先端が、根元部側に凹となった円弧状の先端湾曲面を介して当該長手方向の片側に傾斜しているので、刷掃時に、毛束の先端湾曲面は、これと同じような曲率の湾曲面となった歯面に略沿って配置され易くなり、これによって、毛束を構成するブリッスルの毛先は、相当の領域にわたって歯面にきちんと当たることが可能になり、毛束の先端による歯面へのフィット感を向上させると共に、毛束の先端は歯面の湾曲面に沿って側端部の深い位置まで容易に侵入することができるので、隣接する歯の側端部との間の歯間部にブリッスルの毛先を十分に入り込ませて、刷掃効果を向上させることが可能になる。
【０００７】
なお、先端湾曲面の曲率半径は１．８〜３．０ｍｍとすることが好ましい。先端湾曲面の曲率半径を１．８〜３．０ｍｍとすることにより、大小様々な曲率で湾曲する歯面を備える複数の種類の歯に対する中間的な曲率の湾曲形状を、先端湾曲面が備えることになり、これによって、毛束の先端を円弧状の湾曲面としたことによる作用効果を効率良く発揮させることが可能になる。
【０００８】
また、本発明の歯ブラシによれば、前記円弧状の先端湾曲面を備える毛束を、前記植毛台の両側部に沿って前記長手方向に複数設けることにより、歯間部により入りやすく、歯と歯茎の境目にも毛先がさらに当たりやすくなり、虫歯予防効果に加え、歯周病の予防が可能になる。
【０００９】
さらに、本発明の歯ブラシによれば、前記先端湾曲面を、前記長手方向に隣り合う各一対の毛束において相反する向きに傾斜させれば、一対の先端湾曲面によって両側から包み込むようにして歯面を覆うことのできる大きさの凹部が毛束の先端に形成されることになり、この凹部によって、刷掃時に、さらに広範囲に亘って毛束の先端を歯面に沿って同時に接触させることが可能になる。
【００１０】
なお、長手方向に例えば８ｍｍ以上の長さを有し、先端を根元部側に凹となるように円弧状に陥没させて得られた略半円以上の先端湾曲面を備える毛束を、植毛台に植毛しておくことにより、上述と同様の、両側から包み込むようにして歯面を覆うことのできる大きさの凹部を、このような毛束の先端部分に各々形成することができ、これによって本発明の歯ブラシと同様の作用効果を得ることが可能になる。
【００１１】
さらにまた、本発明の歯ブラシによれば、前記長手方向に隣り合う各一対の毛束を、前記長手方向と垂直な方向にずらして互い違いに設けることにより、刷掃時に、各毛束を構成するブリッスルが前記長手方向に撓んでも、相互に干渉し合うのを効果的に回避することができ、ブリッスルの動きの自由度を向上させて、毛束の先端湾曲面と歯面の湾曲面との曲率の相違を吸収し、これによって毛束の先端の歯面へのフィット感をさらに向上させることが可能になる。
【００１２】
そして、前記円弧状の先端湾曲面を備える毛束に、先端部分が前記先端湾曲面の頂点部分からさらに先端側に突出するブリッスルを設けるようにすれば、毛先を歯間部にさらに容易に入り込ませることが可能になると共に、毛束を構成するブリッスルの先端をラウンド状とすることにより、刷掃時に歯ぐきが損傷するのを効果的に回避することが可能になる。
【００１３】
一方、本発明は、前記歯ブラシの植毛台に、前記円弧状の先端湾曲面を備える毛束を融着植毛により植毛する植毛方法であって、前記植毛台に形成された植毛穴に前記毛束を前記植毛台の裏側から挿入して挿入案内板により支持固定する際に、前記先端湾曲面に沿った湾曲形状を備える金型に各ブリッスルの先端を当接させ、しかる後に前記植毛台の裏側に飛び出した部分のブリッスルを融着して植毛する毛束の植毛方法を提供することにより、上記目的を達成したものである。
【発明の効果】
【００１４】
本発明の歯ブラシによれば、曲率の小さな歯面を有する歯に対しても毛先を容易にフィットさせることができると共に、歯間部に毛先を十分に入り込ませて刷掃効果を十分に発揮させることができる。また、本発明の毛束の植毛方法によれば、歯ブラシの植毛台に、円弧状の先端湾曲面を備える毛束を容易に植毛することができる。
【図面の簡単な説明】
【００１５】
【図１】本発明の第１実施形態に係る歯ブラシを示す要部斜視図である。
【図２】（ａ）は本発明の第１実施形態に係る歯ブラシの要部平面図、（ｂ）は同要部側面図、（ｃ）は植毛穴の拡大平面図である。
【図３】本発明の第１実施形態に係る歯ブラシにより歯面を刷掃する状況を示す説明図である。
【図４】（ａ）は本発明の第２実施形態に係る歯ブラシの要部平面図、（ｂ）は同要部側面図である。
【図５】先端部分が先端湾曲面の頂点部分からさらに先端側に突出するブリッスルを有する円弧状の先端湾曲面を備える毛束の説明図である。
【図６】（ａ）は歯垢除去効果の評価方法を説明する略示側面図、（ｂ）は同略示平面図、（ｃ）は刷掃角度の説明図である。
【発明を実施するための形態】
【００１６】
以下本発明の好ましい実施形態について説明する。本発明の第１実施形態に係る歯ブラシ１０は、図１に示すように、把持部（図示せず）と植毛台１４とこれらを連結する首部１５とからなる歯ブラシ本体の植毛台１４に、複数のブリッスル１１からなる毛束（タフト）１２ａ，１２ｂが、植毛台１４の表面に複数植毛されている。また、本第１実施形態によれば、図２（ａ）及び（ｂ）にも示すように、植毛台１４の両側部に沿って歯ブラシ１０の長手方向Ｘに設けられている複数の外側毛束１２ａは、当該長手方向Ｘに２ｍｍ以上の長さを有する植毛穴１３に植毛されて当該長手方向Ｘに２ｍｍ以上の巾を有しており、かつこれらの外側毛束１２ａの先端は、根元部側に凹となった円弧状の先端湾曲面１６を介して長手方向Ｘの片側に傾斜している。
【００１７】
本第１実施形態によれば、歯ブラシ本体は、例えばポリプロピレン、ＡＢＳ樹脂等の合成樹脂からなり、その植毛台１４の平坦な表面には、例えば長手方向Ｘに沿った長軸の長さａが２．０ｍｍ、長軸と垂直な短軸の長さｂが１．０ｍｍの長円形状の植毛穴１３（図２（ｃ）参照）が、長手方向Ｘに０．８ｍｍ程度の間隔をおいて５列、長手方向Ｘと垂直な方向に１．２ｍｍ程度の間隔をおいて４列の合計２０箇所に形成されている。そして、植毛台１４の両側部に沿った外側の各１列、各５箇所の植毛穴１３には外側毛束１２ａが、これの内側の２列、各５箇所の植毛穴１３には内側毛束１２ｂが、後述する例えば融着植毛によって各々植毛されている。
【００１８】
各毛束１２ａ，１２ｂを構成するブリッスル１１は、ナイロン等の合成樹脂からなる例えば０．１〜０．３ｍｍの太さを有するフィラメント材であって、これを例えば数本〜数十本束ねることによって外側毛束１２ａ及び内側毛束１２ｂがが形成される。
【００１９】
外側毛束１２ａは、上述のように、植毛穴１３に植毛されて長手方向Ｘに例えば２ｍｍの巾を有しており、かつ先端が例えば２．０ｍｍの曲率半径の円弧状の先端湾曲面１６を介して長手方向Ｘの片側に傾斜し、その最も低い部分の毛丈が例えば９．０ｍｍ、最も高い低い部分の毛丈が例えば１１．０ｍｍとなっている。また、本実施形態によれば、外側毛束１２ａの先端湾曲面１６は、長手方向Ｘに隣り合う各一対の外側毛束１２ａにおいて相反する向きに傾斜しており、これによって、植毛台１４の側部に沿った各外側の一列の毛束１２ａには、向い合った一対の先端湾曲面１６に跨って、Ｕ字形状の４ｍｍ以上の巾の凹部１７が各々２箇所に形成されることになる。
【００２０】
一方、内側毛束１２ｂは、植毛穴１３に植毛されて長手方向Ｘに例えば２ｍｍの巾を有すると共にブリッスル１１の先端を平坦に揃えて例えば１１．０ｍｍの毛丈で植毛されている。
【００２１】
なお、外側毛束１２ａ及び内側毛束１２ｂは、融着植毛として、例えば植毛穴１３に植毛台１４の裏側から毛束１２ａ，１２ｂを挿入して挿入案内板により支持固定した状態で、植毛台１４の裏側に飛び出した部分のブリッスル１１を融着して植毛する方法を採用することができる。また、例えば挿入案内板により挿入した毛束１２ａを支持固定する際に、先端湾曲面１６に沿った湾曲形状を備える金型に各ブリッスル１１の先端を当接させておけば、毛束１２ａの先端に円弧状の先端湾曲面１６を容易に形成することができる。なお、湾曲形状を階段状に形成した金型を使用することにより、各ブリッスル１１が湾曲面に沿って滑ることによって斜めに偏心しつつ当接するのを効果的に回避して、円弧形状の先端湾曲面１６をより綺麗に形成することが可能になる。このように、先端湾曲面１６を融着植毛と同時に形成すれば、植毛した後に毛束の先端を斜めにカットする工程を省略することができ、先端湾曲面１６を構成するブリッスルの毛先をラウンド状に保持しておくことが容易になって、カットされた鋭利な毛先により刷掃時に歯ぐきが損傷するのを効果的に回避することが可能になる。
【００２２】
そして、本第１実施形態の歯ブラシ１０によれば、曲率の小さな歯面を有する歯に対してもブリッスル１１の毛先を容易にフィットさせることができると共に、歯間部にブリッスル１１の毛先を十分に入り込ませて刷掃効果を十分に発揮させることができる。すなわち、本第１実施形態の歯ブラシ１０によれば、長手方向Ｘに２ｍｍの巾を有する外側毛束１２ａの先端が、円弧状の先端湾曲面１６を介して傾斜しているので、図３に示すように、刷掃時に、外側毛束１２ａの先端湾曲面１６は、これと同じような曲率の湾曲面となった歯面１８に略沿った状態で配置され易くなり、これによって、外側毛束１２ａを構成するブリッスル１１の毛先は、相当の領域にわたって歯面１８にきちんと当たることが可能になり、従って、歯面１８が曲率の小さな湾曲面の場合でも、外側毛束１２ａの先端による歯面１８へのフィット感を向上させることが可能になる。また外側毛束１２ａの先端は、歯面１８の湾曲面に沿って側端部の深い位置まで容易に侵入することができるので、隣接する歯の側端部との間の歯間部にブリッスル１１の毛先を十分に入り込ませて、刷掃効果を向上させることが可能になる。
【００２３】
また、本第１実施形態の歯ブラシ１０によれば、円弧状の先端湾曲面１６は、隣り合う各一対の外側毛束１２ａにおいて相反する向きに傾斜して、Ｕ字形状の４ｍｍ以上の巾の凹部１７が形成されるので、この凹部１７によって、歯面１８を両側から包み込むように覆って、刷掃時に、より広範囲に亘って外側毛束１２ａの先端を歯面１８に沿って同時に接触させることが可能になる。
【００２４】
図４（ａ），（ｂ）は、本発明の第２実施形態に係る歯ブラシ２０を示すものである。本第２実施形態の歯ブラシ２０によれば、植毛台２４の平坦な表面には、両側部に沿った外側の各１列に４箇所、これの内側の２列に５箇所の、合計１８箇所に植毛穴２３が形成されていると共に、外側の列の植毛穴２３と、内側の列の植毛穴２３とが、千鳥状に互い違いに設けられている。これらの植毛穴２３には、外側の列に先端に円弧状の先端湾曲面２６ａを有する外側毛束２２ａが、内側の列に先端に円弧状の先端湾曲面２６ｂを有する内側毛束２２ｂが、各々植毛されている。これによって長手方向Ｘに最も近接して隣り合う各一対の毛束２２ａ，２２ｂは、長手方向Ｘと垂直な方向にずれて互い違いに設けられていることになる。
【００２５】
また、本第２実施形態の歯ブラシ２０によれば、植毛台２４に植毛された毛束２２ａ，２２ｂの全てが、その先端に、上記第１実施形態の歯ブラシ１０の外側毛束１２ａの先端湾曲面１６と同様の先端湾曲面２６ａ，２６ｂを備えると共に、上記第１実施形態の歯ブラシ１０の外側毛束１２ａと同様の毛丈で植毛されている。そして、外側毛束２２ａの先端湾曲面２６ａは、長手方向Ｘに、歯ブラシ２０の首部２５側に向かって傾斜している一方で、内側毛束２２ｂの先端湾曲面２６ｂは、長手方向Ｘに、歯ブラシ２０の首部１５とは反対側の先端側に向かって傾斜していることにより、歯ブラシ２０を側面視して、隣接する外側毛束１２ａと内側毛束２２ｂの先端湾曲面２６ａ，２６ｂとが互いに交差しつつ、双方の先端湾曲面２６ａ，２６ｂに跨ったＵ字形状の凹部２７が形成されることになる。
【００２６】
本第２実施形態によっても、上記第１実施形態と同様の作用効果が得られると共に、長手方向Ｘに隣り合う各一対の毛束２２ａ，２２ｂを、長手方向Ｘと垂直な方向にずらして互い違いに設けていることにより、刷掃時に、各毛束２２ａ，２２ｂを構成するブリッスル２１が長手方向Ｘに撓んでも、相互に干渉し合うのを効果的に回避することができ、ブリッスル２１の動きの自由度を向上させて、毛束２２ａ，２２ｂの先端湾曲面２６ａ，２６ｂと歯面の湾曲面との曲率の相違を吸収し、これによって毛束２２ａ，２２ｂの先端の歯面へのフィット感をさらに向上させることが可能になる。
【００２７】
なお、本発明は、上記実施形態に限定されることなく種々の変更が可能である。例えば、毛束を植毛する植毛穴は、長円形状である必要は必ずしもなく、長方形、楕円等の横長の形状の他、長手方向に２ｍｍ以上の巾を有していれば、円形等の形状の植毛穴であっても良い。また、円弧状の先端湾曲面を備える毛束は、植毛台の中央部分にのみ設けることもできる。さらに、図５に示すように、円弧状の先端湾曲面１６'を備える毛束１２ａ'に、先端部分が先端湾曲面１６'の頂点部分からさらに上方に突出するブリッスル１１'を設けることもでき、これによって、ブリッスル１１'の毛先を歯間部にさらに容易に入り込ませることが可能になる。
【実施例】
【００２８】
以下、実施例及び比較例により、本発明の歯ブラシをさらに詳細に説明する。
【００２９】
〔実施例１〕
上記第１実施形態の歯ブラシ１０と同様の構成を有する実施例１の歯ブラシについて、下記の評価方法によって歯面の中央部及び歯間部の歯垢除去力と、歯面へのフィット感を評価した。なお、ブリッスルとしてナイロン６−１２からなる２０３μｍ（８mil）のブリッスルを使用し、３６本まとめてブリッスル束とした。評価結果を表１及び表２に示す。
【００３０】
〔比較例１〕
外側毛束１２ａとして、ブリッスル１１の先端を平坦に揃えた内側毛束１２ｂと同様の平切りの毛束を用いたこと以外は、実施例１と同様の構成を有する比較例１の歯ブラシについて、下記の評価方法によって歯面の中央部及び歯間部の歯垢除去力と、歯面へのフィット感を評価した。なお、ブリッスルとしてナイロン６−１２からなる２０３μｍ（８mil）のブリッスルを使用し、３６本まとめてブリッスル束とした。また、各毛束は、１１．０ｍｍの毛丈で植毛台に植毛した。評価結果を表１及び表２に示す。
【００３１】
〔比較例２〕
外側毛束１２ａとして、先端を長手方向の片側に傾斜させて斜めに直線状にカットした毛束を用いたこと以外は、実施例１と同様の構成を有する比較例２の歯ブラシについて、下記の評価方法によって歯面の中央部及び歯間部の歯垢除去力と、歯面へのフィット感を評価した。なお、ブリッスルとしてナイロン６−１２からなる２０３μｍ（８mil）のブリッスルを使用し、３６本まとめてブリッスル束とした。また、各外側毛束１２ａは、その最も低い部分の毛丈が９．０ｍｍ、最も高い低い部分の毛丈が１１．０ｍｍとなるように植毛台に植毛した。評価結果を表１及び表２に示す。
【００３２】
【表１】
2010158591.tif 000003
【００３３】
【表２】
2010158591.tif 000004
【００３４】
〔歯面の中央部及び歯間部の歯垢除去力の評価〕
図６（ａ）及び（ｂ）に示すように、基台５０の上に直径５ｍｍ、長さ５０ｍｍの円柱状の多数のアクリル棒５１を両側部を互い密接させた状態で平行に並べて固定することにより、歯間部を模したモデル５２を作成した。このモデルの表面に歯垢の代用としてアルコールインクを４０ｍｍの幅で塗布し、実施例１、比較例１，２の各歯ブラシ５３について、以下の所定の条件下で、ブラッシングマシーンによりアクリル棒５１と直交する方向Ｙへの刷掃を行った。残存歯垢量（インク量）を画像解析により計測して、歯垢除去効果を評価する。なお、普通に刷掃する場合の条件として、荷重３００ｇ、刷掃回数１０回、速度１００ｒｐｍ（１分間に１００往復）、振幅３ｃｍ、刷掃角度（図３（ｃ）参照）９０゜とした。
【００３５】
残存歯垢量の計測は、ブラッシング幅１０ｍｍ（アクリル棒２本分）におけるアルコールインクの除去率を測定することにより行う。すなわち、歯のモデルであるアクリル棒５１を縦に３分割し、中央部分を歯面の中央部分、両側部分を歯間部として区別し、各々についてインクの剥げた面積を画像解析により測定した。評価は、比較例１の歯垢除去率を１００とし、その比率により相対評価して行った。
【００３６】
〔歯面へのフィット感の評価〕
１０名の被験者に実施例１、比較例１，２の各歯ブラシを、５回、順次交換しながら使用してもらい、歯面へのフィット感について聞き取り調査を行った。フィット感を実感する人が１０人中８人以上いた場合を「Ｏ」、１０人中４人以上７人以下の場合を「△」、１０人中３人以下の場合を「×」として、歯面へのフィット感を評価した。
【００３７】
表１及び表２に示す評価結果から、本発明に係る実施例１の歯ブラシによれば、歯面の中央部及び歯間部の歯垢除去力、歯面へのフィット感のいずれについても良好な結果が得られることが判明した。
【符号の説明】
【００３８】
１０，２０  歯ブラシ
１１  ブリッスル
１１'  先端湾曲面の頂点部分からさらに先端側に突出するブリッスル
１２ａ，２２ａ  外側毛束
１２ｂ，２２ｂ  内側毛束
１３，２３  植毛穴
１４，２４  植毛台
１５，２５  首部
１６  先端湾曲面
２６ａ，２６ｂ  先端湾曲面
１７，２７  凹部
Ｘ  歯ブラシの長手方向
【図１】
2010158591.tif 000005
【図２】
2010158591.tif 000006
【図３】
2010158591.tif 000007
【図４】
2010158591.tif 000008
【図５】
2010158591.tif 000009
【図６】
2010158591.tif 000010
【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
複数のブリッスルからなる毛束が植毛台に複数植毛された歯ブラシにおいて、
前記毛束は、前記植毛台の両側部に沿って歯ブラシの長手方向に植毛された複数の外側毛束と、これらの外側毛束の内側に植毛された複数の内側毛束とを備え、
前記外側毛束と前記内側毛束とは、歯ブラシの長手方向に２ｍｍ以上の長さを有する植毛穴に植毛されて当該長手方向に２ｍｍ以上の巾を有しており、かつ前記外側毛束と前記内側毛束の先端は、根元部側に凹となった円弧状の先端湾曲面を介して当該長手方向の片側に傾斜しており、
且つ前記外側毛束と前記内側毛束の先端湾曲面は、相反する向きに傾斜していることにより、側面視して双方の先端湾曲面に跨ったＵ字形状の凹部が形成される歯ブラシ。
【請求項２】
前記外側毛束が植毛される外側の列の植毛穴と、前記内側毛束が植毛される内側の列の植毛穴とが互い違いに設けられている請求項１記載の歯ブラシ。
【請求項３】
前記外側毛束と前記内側毛束とは、先端部分が前記先端湾曲面の頂点部分からさらに先端側に突出するブリッスルを有している請求項１又は２に記載の歯ブラシ。
【請求項４】
前記外側毛束及び前記内側毛束を構成するブリッスルは、その先端がラウンド状となっている請求項１〜３のいずれかに記載の歯ブラシ。
【請求項５】
請求項１〜４のいずれかに記載の歯ブラシの植毛台に、前記円弧状の先端湾曲面を備える前記外側毛束と前記内側毛束とを融着植毛により植毛する植毛方法であって、
前記植毛台に形成された植毛穴に前記外側毛束及び前記内側毛束を前記植毛台の裏側から挿入して挿入案内板により支持固定する際に、前記先端湾曲面に沿った湾曲形状を備える金型に各ブリッスルの先端を当接させ、しかる後に前記植毛台の裏側に飛び出した部分のブリッスルを融着して植毛する毛束の植毛方法。